(57)【要約】【課題】無線回線断の場合であってもＡＴＰＣを行うことができる無線伝送装置を提供する。【解決手段】本発明にかかる無線伝送装置（１）は、第１の無線回線を含む複数の無線回線を介して対向局へ信号の送信を行う送信部（１１）と、送信部（１１）の送信出力レベルを制御する出力制御部（１２）と、を備える。出力制御部（１２）は、対向局から第１の無線回線以外の無線回線を介して受信された情報に基づいて、第１の無線回線の送信出力レベルを制御する。【選択図】図２
2019161497.tif 000002
【特許請求の範囲】
【請求項１】
第１の無線回線を含む複数の無線回線を介して対向局へ信号の送信を行う送信部と、
前記送信部の送信出力レベルを制御する出力制御部と、を備え、
前記出力制御部は、前記対向局から前記第１の無線回線以外の無線回線を介して受信された情報に基づいて、前記第１の無線回線の送信出力レベルを制御する、
無線伝送装置。
【請求項２】
前記第１の無線回線のレベル情報が多重されている無線回線が第２の無線回線であることを示すレベル多重情報に基づいて、前記第１の無線回線のレベル情報が前記第２の無線回線に多重されていることを検出する制御信号切替部をさらに備え、
前記出力制御部は、前記第１の無線回線のレベル情報に基づいて、前記第１の無線回線の送信出力レベルを制御する、
請求項１に記載の無線伝送装置。
【請求項３】
無線回線断を示す情報がどの無線回線を介して受信されるかを監視する出力監視部をさらに備え、
前記出力制御部は、前記第１の無線回線を介して前記無線回線断を示す情報が受信された場合に、前記第１の無線回線の隣接回線を介して前記無線回線断を示す情報が受信されたか否かに基づいて、前記第１の無線回線の送信出力レベルを制御する、
請求項１に記載の無線伝送装置。
【請求項４】
前記出力制御部は、前記第１の無線回線を介して前記無線回線断を示す情報が受信された場合であり、且つ、前記第１の無線回線の両隣接回線を介して前記無線回線断を示す情報が受信された場合に、前記両隣接回線のうち低い方の送信出力値を前記第１の無線回線の送信出力値として設定する、請求項３に記載の無線伝送装置。
【請求項５】
前記出力制御部は、前記第１の無線回線を介して前記無線回線断を示す情報が受信された場合であり、且つ、前記第１の無線回線の一方の隣接回線のみを介して前記無線回線断を示す情報が受信された場合に、前記第１の無線回線の他方の隣接回線の送信出力値を前記第１の無線回線の送信出力値として設定する、請求項３又は４に記載の無線伝送装置。
【請求項６】
前記出力制御部は、前記第１の無線回線を介して前記無線回線断を示す情報が受信された場合であり、且つ、前記第１の無線回線の隣接回線を介して前記無線回線断を示す情報が未受信である場合に、両隣接回線のうち低い方の送信出力値を前記第１の無線回線の送信出力値として設定する、請求項３〜５のいずれか１項に記載の無線伝送装置。
【請求項７】
複数の無線回線を介して通信を行う第１の無線伝送装置及び第２の無線伝送装置を備え、
前記第２の無線伝送装置は、
前記第１の無線伝送装置から送信された前記複数の無線回線のそれぞれの受信レベルを検出するレベル検出部と、
前記複数の無線回線のそれぞれのレベル情報を前記第１の無線伝送装置へ送信する第２の送信部と、を備え、
前記第１の無線伝送装置は、
第１の無線回線を含む前記複数の無線回線を介して前記第２の無線伝送装置へ信号の送信を行う第１の送信部と、
前記第１の送信部の送信出力レベルを制御する出力制御部と、を備え、
前記第２の送信部は、前記出力制御部が前記第１の無線回線の送信出力レベルを制御するための情報を前記第１の無線回線以外の無線回線を介して前記第１の無線伝送装置へ送信し、
前記出力制御部は、前記第２の無線伝送装置から前記第１の無線回線以外の無線回線を介して受信された前記情報に基づいて、前記第１の無線回線の送信出力レベルを制御する、
無線伝送システム。
【請求項８】
前記第２の無線伝送装置は、前記複数の無線回線の無線回線情報に基づいて、前記第１の無線回線のレベル情報を第２の無線回線に多重することを決定し、前記第１の無線回線のレベル情報が多重されている無線回線が第２の無線回線であることを示すレベル多重情報を生成する第２の制御信号切替部をさらに備え、
前記第１の無線伝送装置は、前記レベル多重情報に基づいて、前記第１の無線回線のレベル情報が前記第２の無線回線に多重されていることを検出する第１の制御信号切替部をさらに備え、
前記出力制御部は、前記第１の無線回線のレベル情報に基づいて、前記第１の無線回線の送信出力レベルを制御する、
請求項７に記載の無線伝送システム。
【請求項９】
前記第１の無線伝送装置は、無線回線断を示す情報がどの無線回線を介して受信されるかを監視する出力監視部をさらに備え、
前記第２の送信部は、無線回線断を検出した場合に、前記無線回線断を検出した無線回線を介して前記無線回線断を示す情報を送信し、
前記出力制御部は、前記第１の無線回線を介して前記無線回線断を示す情報が受信された場合に、前記第１の無線回線の隣接回線を介して前記無線回線断を示す情報が受信されたか否かに基づいて、前記第１の無線回線の送信出力レベルを制御する、
請求項７に記載の無線伝送システム。
【請求項１０】
無線伝送装置の方法であって、
第１の無線回線を含む複数の無線回線を介して対向局へ信号の送信を行い、
前記対向局から前記第１の無線回線以外の無線回線を介して受信された情報に基づいて、前記第１の無線回線の送信出力レベルを制御する、ことを含む
方法。
【請求項１１】
複数の無線回線を介して通信を行う第１の無線伝送装置及び第２の無線伝送装置を備える無線伝送システムの方法であって、
前記第１の無線伝送装置は、第１の無線回線を含む複数の無線回線を介して前記第２の無線伝送装置へ信号の送信を行い、
前記第２の無線伝送装置は、前記第１の無線伝送装置から送信された前記複数の無線回線のそれぞれの受信レベルを検出し、
前記第２の無線伝送装置は、前記第１の無線回線の送信出力レベルを制御するための情報を前記第１の無線回線以外の無線回線を介して前記第１の無線伝送装置へ送信し、
前記第１の無線伝送装置は、前記第２の無線伝送装置から前記第１の無線回線以外の無線回線を介して受信された前記情報に基づいて、前記第１の無線回線の送信出力レベルを制御する、ことを含む
方法。
【請求項１２】
第１の無線回線を含む複数の無線回線を介して対向局へ信号の送信を行い、
前記対向局から前記第１の無線回線以外の無線回線により受信された情報に基づいて、前記第１の無線回線の送信出力レベルを制御する、ことを含む処理をコンピュータに実行させる
プログラム。
【発明の詳細な説明】
【技術分野】
【０００１】
本発明は、無線伝送装置、無線伝送システム、その方法及びプログラムに関し、特に、自動送信出力レベル制御（ＡＴＰＣ：Automatic Transmit Power Control）を行う無線伝送装置、無線伝送システム、その方法及びプログラムに関する。
【背景技術】
【０００２】
無線伝送システムでは、無線伝送を行う無線回線の回線品質を維持しつつ、他の無線回線への干渉量を低減させる技術として、ＡＴＰＣが知られている（例えば、特許文献１〜３参照）。ＡＴＰＣでは、受信側の無線伝送装置の受信レベルを送信側の無線伝送装置に通知することにより、送信側の無線伝送装置は、受信側の無線伝送装置の受信レベルを一定に保つように、送信出力を自動的に制御する。
【先行技術文献】
【特許文献】
【０００３】
【特許文献１】特開２００４−２６６５５２号公報
【特許文献２】特開２０１４−２３０２０４号公報
【特許文献３】特開平５−２３５８０２号公報
【発明の概要】
【発明が解決しようとする課題】
【０００４】
本件発明者は、無線伝送装置において複数の無線回線を多重して送信する場合に、隣接回線より送信出力が小さい回線には、隣接回線からの干渉が発生するため、その回線の信号通過ができずに無線回線断になることがあり得るという問題に想到した。そして、ＡＴＰＣは無線回線を介して行われるため、無線回線断のときにはＡＴＰＣができないという問題があった。
【０００５】
本開示は、このような問題点を解決するためになされたものであり、無線回線断の場合であってもＡＴＰＣを行うことができる無線伝送装置、無線伝送システム、その方法及びプログラムを提供することを目的とする。
【課題を解決するための手段】
【０００６】
本発明の第１の態様にかかる無線伝送装置は、第１の無線回線を含む複数の無線回線を介して対向局へ信号の送信を行う送信部と、前記送信部の送信出力レベルを制御する出力制御部と、を備え、前記出力制御部は、前記対向局から前記第１の無線回線以外の無線回線を介して受信された情報に基づいて、前記第１の無線回線の送信出力レベルを制御するものである。
【０００７】
本発明の第２の態様にかかる無線伝送システムは、複数の無線回線を介して通信を行う第１の無線伝送装置及び第２の無線伝送装置を備え、前記第２の無線伝送装置は、前記第１の無線伝送装置から送信された前記複数の無線回線のそれぞれの受信レベルを検出するレベル検出部と、前記複数の無線回線のそれぞれのレベル情報を前記第１の無線伝送装置へ送信する第２の送信部と、を備え、前記第１の無線伝送装置は、第１の無線回線を含む前記複数の無線回線を介して前記第２の無線伝送装置へ信号の送信を行う第１の送信部と、前記第１の送信部の送信出力レベルを制御する出力制御部と、を備え、前記第２の送信部は、前記出力制御部が前記第１の無線回線の送信出力レベルを制御するための情報を前記第１の無線回線以外の無線回線を介して前記第１の無線伝送装置へ送信し、前記出力制御部は、前記第２の無線伝送装置から前記第１の無線回線以外の無線回線を介して受信された前記情報に基づいて、前記第１の無線回線の送信出力レベルを制御するものである。
【０００８】
本発明の第３の態様にかかる方法は、無線伝送装置の方法であって、第１の無線回線を含む複数の無線回線を介して対向局へ信号の送信を行い、前記対向局から前記第１の無線回線以外の無線回線を介して受信された情報に基づいて、前記第１の無線回線の送信出力レベルを制御する、ことを含むものである。
【０００９】
本発明の第４の態様にかかる方法は、複数の無線回線を介して通信を行う第１の無線伝送装置及び第２の無線伝送装置を備える無線伝送システムの方法であって、前記第１の無線伝送装置は、第１の無線回線を含む複数の無線回線を介して前記第２の無線伝送装置へ信号の送信を行い、前記第２の無線伝送装置は、前記第１の無線伝送装置から送信された前記複数の無線回線のそれぞれの受信レベルを検出し、前記第２の無線伝送装置は、前記第１の無線回線の送信出力レベルを制御するための情報を前記第１の無線回線以外の無線回線を介して前記第１の無線伝送装置へ送信し、前記第１の無線伝送装置は、前記第２の無線伝送装置から前記第１の無線回線以外の無線回線を介して受信された前記情報に基づいて、前記第１の無線回線の送信出力レベルを制御する、ことを含むものである。
【００１０】
本発明の第５の態様にかかるプログラムは、第１の無線回線を含む複数の無線回線を介して対向局へ信号の送信を行い、前記対向局から前記第１の無線回線以外の無線回線により受信された情報に基づいて、前記第１の無線回線の送信出力レベルを制御する、ことを含む処理をコンピュータに実行させるものである。
【発明の効果】
【００１１】
本発明により、無線回線断の場合であってもＡＴＰＣを行うことができる無線伝送装置、無線伝送システム、その方法及びプログラムを提供することができる。
【図面の簡単な説明】
【００１２】
【図１】実施の形態１にかかる無線伝送システムの構成例を示すブロック図である。
【図２】実施の形態１にかかる第１の無線伝送装置の構成例を示すブロック図である。
【図３】実施の形態１にかかる第２の無線伝送装置の構成例を示すブロック図である。
【図４】実施の形態１にかかる第１の無線伝送装置の動作例を示すフローチャートである。
【図５】実施の形態１にかかる無線伝送システムの処理の流れを示すシーケンス図である。
【図６】実施の形態２にかかる第１の無線伝送装置の構成例を示すブロック図である。
【図７】実施の形態２にかかる第２の無線伝送装置の構成例を示すブロック図である。
【図８】実施の形態２にかかる第１の無線伝送装置から送信される送信信号の波形例を示す図である。
【図９】実施の形態２にかかる第２の無線伝送装置における分波部から受信部へ出力される送信ｃｈ２の受信信号の波形例を示す図である。
【図１０】実施の形態２にかかる無線伝送システムの処理の流れを示すシーケンス図である。
【図１１】実施の形態３にかかる第１の無線伝送装置の構成例を示すブロック図である。
【図１２】実施の形態３にかかる第２の無線伝送装置の構成例を示すブロック図である。
【図１３】実施の形態３にかかる第１の無線伝送装置から送信される送信信号の波形例を示す図である。
【図１４】実施の形態３にかかる第２の無線伝送装置の動作例を示すフローチャートである。
【図１５】実施の形態３にかかる第１の無線伝送装置の動作例を示すフローチャートである。
【図１６】実施の形態２にかかる第１の無線伝送装置の構成の他の例を示すブロック図である。
【図１７】実施の形態２にかかる第２の無線伝送装置の構成の他の例を示すブロック図である。
【発明を実施するための形態】
【００１３】
以下では、本発明の実施の形態について、図面を参照しながら詳細に説明する。各図面において、同一又は対応する要素には同一の符号が付されており、説明の明確化のため、必要に応じて重複説明は省略される。
【００１４】
実施の形態１
まず、図１のブロック図を用いて、本発明の実施の形態１にかかる無線伝送システム１００の構成例について説明する。無線伝送システム１００は、無線伝送装置１と、無線伝送装置２と、を備えている。なお、無線伝送装置１は、第１の無線伝送装置とも呼び、無線伝送装置２は、第２の無線伝送装置とも呼ぶ。
【００１５】
無線伝送装置１は、例えば、対向する無線伝送装置２との間でＰ２Ｐ（Point to Point）にて無線通信を行う無線通信装置である。無線伝送装置１と無線伝送装置２との間の無線通信は、複数の無線回線を介して行われる。本実施の形態１では、複数の無線回線として第１の無線回線を含む複数の無線回線を用いる例について説明する。なお、無線回線の数は２以上であればいくつでもよい。
【００１６】
本実施の形態１では、無線伝送装置１の送信出力レベルを制御することについて説明する。なお、無線伝送システム１００において、無線伝送装置２の送信出力レベルも無線伝送装置１の送信出力レベルと同様に制御するようにしてもよい。
【００１７】
続いて、図２のブロック図を用いて、本発明の実施の形態１にかかる無線伝送装置１の構成例について説明する。無線伝送装置１は、送信部１１と、出力制御部１２と、を備えている。
【００１８】
送信部１１は、第１の無線回線を含む複数の無線回線を介して対向局である無線伝送装置２へ信号の送信を行う。なお、第１の無線回線とは、無線伝送装置１における第１の送信回線と無線伝送装置１における第１の受信回線とを含む無線回線である。
【００１９】
出力制御部１２は、送信部１１の送信出力レベルを制御する機能部である。出力制御部１２は、対向局である無線伝送装置２から第１の無線回線以外の無線回線を介して受信された情報に基づいて、第１の無線回線の送信出力レベルを制御する。なお、第１の無線回線以外の無線回線とは、例えば、第２の無線回線である。第２の無線回線とは、無線伝送装置１における第２の送信回線と無線伝送装置１における第２の受信回線とを含む無線回線である。すなわち、第１の無線回線以外の無線回線を介して受信された情報とは、第１の無線回線の第１の受信回線ではなく、例えば第２の無線回線の第２の受信回線を介して受信された情報のことである。
【００２０】
続いて、図３のブロック図を用いて、本発明の実施の形態１にかかる無線伝送装置２の構成例について説明する。無線伝送装置２は、レベル検出部２１と、送信部２２と、を備えている。
【００２１】
レベル検出部２１は、無線伝送装置１から送信された複数の無線回線のそれぞれの受信レベルを検出する。また、レベル検出部２１は、検出された複数の無線回線のそれぞれの受信レベルを送信部２２へ出力する。
【００２２】
送信部２２は、複数の無線回線のそれぞれの受信レベルを無線伝送装置１へ送信する。また、送信部２２は、出力制御部１２が第１の無線回線の送信出力レベルを制御するための情報を第１の無線回線以外の無線回線を介して無線伝送装置１へ送信する。
【００２３】
続いて、図４のフローチャートを用いて、本発明の実施の形態１にかかる無線伝送装置１の動作例について説明する。
【００２４】
まず、無線伝送装置１は、送信部１１により、第１の無線回線を含む複数の無線回線を介して無線伝送装置２へ信号の送信を行う（ステップＳ１０１）。
【００２５】
次に、無線伝送装置１は、出力制御部１２により、無線伝送装置２から第１の無線回線以外の無線回線を介して受信された情報に基づいて、第１の無線回線の送信出力レベルを制御する（ステップＳ１０２）。
【００２６】
続いて、図５のシーケンス図を用いて、実施の形態１にかかる無線伝送システム１００の処理の流れの例について説明する。
【００２７】
まず、無線伝送装置１は、送信部１１により、第１の無線回線を含む複数の無線回線を介して無線伝送装置２へ信号の送信を行う（ステップＳ２０１）。
【００２８】
次に、無線伝送装置２は、レベル検出部２１により、無線伝送装置１から送信された複数の無線回線のそれぞれの受信レベルを検出する（ステップＳ２０２）。
【００２９】
次に、無線伝送装置２は、送信部２２により、第１の無線回線の送信出力レベルを制御するための情報を第１の無線回線以外の無線回線を介して無線伝送装置１へ送信する（ステップＳ２０３）。
【００３０】
次に、無線伝送装置１は、出力制御部１２により、無線伝送装置２から第１の無線回線以外の無線回線を介して受信された情報に基づいて、第１の無線回線の送信出力レベルを制御する（ステップＳ２０４）。
【００３１】
以上のように、本実施の形態１にかかる無線伝送装置１は、対向局である無線伝送装置２から第１の無線回線以外の無線回線を介して受信された情報に基づいて、送信部１１における第１の無線回線の送信出力レベルを制御する構成としている。これにより、本実施の形態１にかかる無線伝送装置１では、第１の無線回線が無線回線断の場合であっても、第１の無線回線以外の無線回線を介して受信された情報に基づいて第１の無線回線の送信出力レベルを制御することができる。すなわち、無線伝送装置１は、第１の無線回線が無線回線断の場合であっても第１の無線回線のＡＴＰＣを行うことができる。
【００３２】
なお、第１の無線回線が無線回線断でない場合に、第１の無線回線の送信出力レベルを制御する信号が伝送される経路は、第１の無線回線であってもよいし、第１の無線回線以外の無線回線であってもよい。
【００３３】
実施の形態２
続いて、実施の形態２について説明する。実施の形態２は、実施の形態１の第１の具体例を示す実施の形態である。なお、実施の形態２では、複数の無線回線として、ｃｈ１〜ｃｈ３の３つの無線回線を用いる例について説明するが、無線回線の数は３つに限らない。なお、実施の形態２では、ｃｈ２のリセットを実施した直後の動作について説明する。なお、ｃｈ２のリセットとは、例えばｃｈ２のメンテナンスのために行うものであり、ｃｈ２を一旦切断し、送信出力レベルを初期設定値にして送信を再開する処理のことを示す。なお、送信出力レベルの初期設定値とは、例えば最小出力値である。また、ｃｈ２のことを第１の無線回線とも呼ぶ。
【００３４】
実施の形態２にかかる無線伝送システム１００Ａは、無線伝送装置１Ａと、無線伝送装置２Ａと、を備えている。なお、無線伝送システム１００Ａの構成は、図１の無線伝送システム１００の構成と同様であり、図示を省略する。
【００３５】
続いて、図６及び図７のブロック図を用いて、無線伝送装置１Ａ及び無線伝送装置２Ａの構成例について説明する。無線伝送装置１Ａは、送信部１１＿１〜１１＿３と、出力制御部１２Ａ＿１〜１２Ａ＿３と、データ多重部１３＿１〜１３＿３と、合成部１４と、アンテナ１５と、分波部１６と、受信部１７＿１〜１７＿３と、データ抽出部１８＿１〜１８＿３と、制御信号切替部１９と、を備えている。また、無線伝送装置２Ａは、レベル検出部２１＿１〜２１＿３と、送信部２２＿１〜２２＿３と、アンテナ２３と、分波部２４と、受信部２５＿１〜２５＿３と、データ抽出部２６＿１〜２６＿３と、制御信号切替部２７と、データ多重部２８＿１〜２８＿３と、合成部２９と、を備えている。
【００３６】
データ多重部１３＿１、データ多重部１３＿２、データ多重部１３＿３は、それぞれ送信ｃｈ１、送信ｃｈ２、送信ｃｈ３用のデータ多重部である。データ多重部１３＿１は、送信ｃｈ１用の送信データを送信ｃｈ１に多重する。また、データ多重部１３＿２は、送信ｃｈ２用の送信データを送信ｃｈ２に多重する。また、データ多重部１３＿３は、送信ｃｈ３用の送信データを送信ｃｈ３に多重する。そして、データ多重部１３＿１、データ多重部１３＿２、データ多重部１３＿３は、それぞれ送信データが多重された信号を送信部１１＿１、送信部１１＿２、送信部１１＿３へ出力する。
【００３７】
送信部１１＿１、送信部１１＿２、送信部１１＿３は、それぞれ送信ｃｈ１、送信ｃｈ２、送信ｃｈ３用の送信部である。送信部１１＿１は、データ多重部１３＿１から受け取った信号について、出力制御部１２Ａ＿１からの送信レベル制御信号に基づいて送信出力レベルを制御し、送信ｃｈ１の送信信号を生成する。また、送信部１１＿２は、データ多重部１３＿２から受け取った信号について、出力制御部１２Ａ＿２からの送信レベル制御信号に基づいて送信出力レベルを制御し、送信ｃｈ２の送信信号を生成する。また、送信部１１＿３は、データ多重部１３＿３から受け取った信号について、出力制御部１２Ａ＿３からの送信レベル制御信号に基づいて送信出力レベルを制御し、送信ｃｈ３の送信信号を生成する。そして、送信部１１＿１、送信部１１＿２、送信部１１＿３は、それぞれ送信ｃｈ１の送信信号、送信ｃｈ２の送信信号、送信ｃｈ３の送信信号を合成部１４へ出力する。
【００３８】
合成部１４は、受け取った送信ｃｈ１の送信信号、送信ｃｈ２の送信信号、及び送信ｃｈ３の送信信号を合成して第１の送信信号を生成する。なお、本例では、ｃｈ２のリセットを実施した直後であるため、送信ｃｈ２は最小出力で送信を開始する。本例における第１の送信信号の波形例を図８に示す。合成部１４は、第１の送信信号を、アンテナ１５を介して無線伝送装置２Ａへ送信する。
【００３９】
分波部２４は、アンテナ２３により無線伝送装置１Ａから受信された第１の送信信号を、送信ｃｈ１の受信信号、送信ｃｈ２の受信信号、送信ｃｈ３の受信信号に分波する。そして、分波部２４は、送信ｃｈ１の受信信号、送信ｃｈ２の受信信号、送信ｃｈ３の受信信号を、それぞれ受信部２５＿１、受信部２５＿２、受信部２５＿３へ出力する。本例における分波部２４から受信部２５＿２へ出力される送信ｃｈ２の受信信号の波形例を図９に示す。図８に示すように、送信ｃｈ１及び送信ｃｈ３の送信信号は、送信ｃｈ２の送信信号に比べて大きい。このため、送信ｃｈ２の受信信号に対して隣接ｃｈの受信信号は大きい。このため、図９に示すように、隣接ｃｈの受信信号は、送信ｃｈ２の受信フィルタでは除去することができず、送信ｃｈ２の受信信号に対して大きな干渉となる。
【００４０】
受信部２５＿１は、送信ｃｈ１の受信信号について受信処理を行い、レベル検出部２１＿１及びデータ抽出部２６＿１へ出力する。また、受信部２５＿２は、送信ｃｈ２の受信信号について受信処理を行い、レベル検出部２１＿２及びデータ抽出部２６＿２へ出力する。また、受信部２５＿３は、送信ｃｈ３の受信信号について受信処理を行い、レベル検出部２１＿３及びデータ抽出部２６＿３へ出力する。さらに、受信部２５＿１、受信部２５＿２、受信部２５＿３は、それぞれ送信ｃｈ１、送信ｃｈ２、送信ｃｈ３の無線回線情報を制御信号切替部２７へ出力する。
【００４１】
なお、無線回線情報とは、無線回線の状態を示す情報であり、例えば無線回線断となっているか否かを判別するための情報である。無線回線情報の具体例としては、その無線回線について復調できるか否か、又は同期がとれるか否かを示す情報である。
【００４２】
データ抽出部２６＿１、データ抽出部２６＿２、データ抽出部２６＿３は、それぞれ送信ｃｈ１の受信信号、送信ｃｈ２の受信信号、送信ｃｈ３の受信信号から送信ｃｈ１用の送信データ、送信ｃｈ２用の送信データ、送信ｃｈ３用の送信データを抽出する機能部である。
【００４３】
レベル検出部２１＿１は、送信ｃｈ１の受信信号の受信レベルを検出する。また、レベル検出部２１＿２は、送信ｃｈ２の受信信号の受信レベルを検出する。また、レベル検出部２１＿３は、送信ｃｈ３の受信信号の受信レベルを検出する。そして、レベル検出部２１＿１、レベル検出部２１＿２、レベル検出部２１＿３は、それぞれ送信ｃｈ１の受信レベル情報、送信ｃｈ２の受信レベル情報、送信ｃｈ３の受信レベル情報を制御信号切替部２７へ出力する。
【００４４】
制御信号切替部２７は、各ｃｈの無線回線情報を受け取り、各ｃｈの無線回線の状態を検出する。本例では、隣接ｃｈの干渉によりｃｈ２を介した通信ができず、無線回線断となっていることを検出する。また、制御信号切替部２７は、各ｃｈの無線回線情報に基づいて、無線回線断となっている回線については、他の回線を介して受信レベル情報を送信するように受信レベル情報の出力先の切り替えを行う。本例では、制御信号切替部２７は、送信ｃｈ２の受信レベル情報をどのｃｈに多重するかを決定する。また、ｃｈ１及びｃｈ３はともに無線回線の状態が良好であり、送信ｃｈ２の受信レベル情報をｃｈ１に多重すると決定されたものとする。
【００４５】
制御信号切替部２７は、送信ｃｈ１の受信レベル情報と、送信ｃｈ２の受信レベル情報と、受信レベル多重情報とを、データ多重部２８＿１へ出力する。なお、受信レベル多重情報とは、送信ｃｈ２の受信レベル情報が受信ｃｈ１に多重されていることを示す情報である。また、制御信号切替部２７は、送信ｃｈ３の受信レベル情報を、データ多重部２８＿３へ出力する。
【００４６】
データ多重部２８＿１は、送信ｃｈ１の受信レベル情報と、送信ｃｈ２の受信レベル情報と、受信レベル多重情報とを、受信ｃｈ１に多重する。そして、データ多重部２８＿１は、多重された信号を送信部２２＿１へ出力する。また、データ多重部２８＿３は、送信ｃｈ３の受信レベル情報を受信ｃｈ３に多重する。そして、データ多重部２８＿３は、多重された信号を送信部２２＿３へ出力する。
【００４７】
送信部２２＿１は、データ多重部２８＿１から受け取った信号から受信ｃｈ１の送信信号を生成する。そして、送信部２２＿１は、受信ｃｈ１の送信信号を合成部２９へ出力する。また、送信部２２＿３は、データ多重部２８＿３から受け取った信号から受信ｃｈ３の送信信号を生成する。そして、送信部２２＿３は、受信ｃｈ３の送信信号を合成部２９へ出力する。
【００４８】
合成部２９は、受け取った受信ｃｈ１の送信信号及び受信ｃｈ３の送信信号を合成して第２の送信信号を生成する。そして、合成部２９は、第２の送信信号を、アンテナ２３を介して無線伝送装置１Ａへ送信する。
【００４９】
分波部１６は、アンテナ１５により無線伝送装置２Ａから受信された第２の送信信号を、受信ｃｈ１の受信信号及び受信ｃｈ３の受信信号に分波する。そして、分波部１６は、受信ｃｈ１の受信信号を受信部１７＿１へ出力し、受信ｃｈ３の受信信号を受信部１７＿３へ出力する。
【００５０】
受信部１７＿１は、受信ｃｈ１の受信信号について受信処理を行い、データ抽出部１８＿１へ出力する。また、受信部１７＿３は、受信ｃｈ３の受信信号について受信処理を行い、データ抽出部１８＿３へ出力する。
【００５１】
データ抽出部１８＿１は、受信ｃｈ１の受信信号から送信ｃｈ１の受信レベル情報、送信ｃｈ２の受信レベル情報、及び受信レベル多重情報を抽出する。そして、データ抽出部１８＿１は、送信ｃｈ１の受信レベル情報、送信ｃｈ２の受信レベル情報、及び受信レベル多重情報を制御信号切替部１９へ出力する。また、データ抽出部１８＿３は、受信ｃｈ３の受信信号から送信ｃｈ３の受信レベル情報を抽出する。そして、データ抽出部１８＿３は、送信ｃｈ３の受信レベル情報を制御信号切替部１９へ出力する。
【００５２】
制御信号切替部１９は、受信レベル多重情報に基づいて、受信レベル情報の出力先の切り替えを行う。本例では、制御信号切替部１９は、受信レベル多重情報により、送信ｃｈ２の受信レベル情報が受信ｃｈ１に多重されていることを検出する。これにより、制御信号切替部１９は、データ抽出部１８＿１から受け取った送信ｃｈ２の受信レベル情報を出力制御部１２Ａ＿２へ出力する。また、制御信号切替部１９は、送信ｃｈ１の受信レベル情報を出力制御部１２Ａ＿１へ出力し、送信ｃｈ３の受信レベル情報を出力制御部１２Ａ＿３へ出力する。
【００５３】
出力制御部１２Ａ＿１は、送信ｃｈ１の受信レベル情報に基づいて、送信ｃｈ１の送信出力レベルを制御する。具体的には、出力制御部１２Ａ＿１は、送信ｃｈ１の受信レベル情報と所定の閾値との比較を行い、その比較結果により送信ｃｈ１用の送信レベル制御信号を生成する。送信レベル制御信号は、受信レベル情報が所定の閾値に対して低い場合、送信出力を上げるように制御し、受信レベル情報が所定の閾値に対して高い場合、送信出力を下げるように制御するための制御信号である。同様に、出力制御部１２Ａ＿２は、送信ｃｈ２の受信レベル情報と所定の閾値との比較を行い、その比較結果により送信ｃｈ２用の送信レベル制御信号を生成する。また、出力制御部１２Ａ＿３は、送信ｃｈ３の受信レベル情報と所定の閾値との比較を行い、その比較結果により送信ｃｈ３用の送信レベル制御信号を生成する。そして、出力制御部１２Ａ＿１、出力制御部１２Ａ＿２、出力制御部１２Ａ＿３は、それぞれ送信ｃｈ１、送信ｃｈ２、送信ｃｈ３用の送信レベル制御信号を、送信部１１＿１、送信部１１＿２、送信部１１＿３へ出力する。
【００５４】
続いて、図１０のシーケンス図を用いて、実施の形態２にかかる無線伝送システム１００Ａの処理の流れの例について説明する。
【００５５】
まず、無線伝送装置１Ａは、送信ｃｈ１の送信信号、送信ｃｈ２の送信信号、及び送信ｃｈ３の送信信号が合成された第１の送信信号を無線伝送装置２Ａへ送信する（ステップＳ３０１）。
【００５６】
次に、無線伝送装置２Ａは、送信ｃｈ１、送信ｃｈ２、送信ｃｈ３の受信レベルを検出する（ステップＳ３０２）。
【００５７】
次に、無線伝送装置２Ａは、各ｃｈの無線回線情報に基づいて、送信ｃｈ２の受信レベル情報をｃｈ１に多重すると決定する（ステップＳ３０３）。
【００５８】
次に、無線伝送装置２Ａは、送信ｃｈ２の受信レベル情報と、送信ｃｈ２の受信レベル情報が受信ｃｈ１に多重されていることを示す受信レベル多重情報とを受信ｃｈ１に多重する（ステップＳ３０４）。
【００５９】
次に、無線伝送装置２Ａは、受信ｃｈ１の送信信号及び受信ｃｈ３の送信信号が合成された第２の送信信号を無線伝送装置１Ａへ送信する（ステップＳ３０５）。
【００６０】
次に、無線伝送装置１Ａは、受信レベル多重情報に基づいて、送信ｃｈ２の受信レベル情報が受信ｃｈ１に多重されていることを検出する（ステップＳ３０６）。
【００６１】
次に、無線伝送装置１Ａは、受信ｃｈ１に多重されていた送信ｃｈ２の受信レベル情報に基づいて、送信ｃｈ２の送信出力レベルを制御する（ステップＳ３０７）。
【００６２】
以上のように、本実施の形態２にかかる無線伝送システム１００Ａでは、無線伝送装置２Ａが、複数の無線回線の無線回線情報に基づいて、第１の無線回線の受信レベル情報を第２の無線回線に多重することを決定する構成としている。また、無線伝送装置２Ａは、第１の無線回線の受信レベル情報が多重されている無線回線が第２の無線回線であることを示す受信レベル多重情報を生成する構成としている。また、無線伝送システム１００Ａでは、無線伝送装置１Ａが、受信レベル多重情報に基づいて、第１の無線回線の受信レベル情報が第２の無線回線に多重されていることを検出する構成としている。また、無線伝送装置１Ａは、第２の無線回線に多重されていた第１の無線回線の受信レベル情報に基づいて、第１の無線回線の送信出力レベルを制御する構成としている。これにより、本実施の形態２にかかる無線伝送システム１００Ａでは、第１の無線回線が無線回線断である場合であっても、他の無線回線を介して対向局の受信レベル情報をやり取りすることができる。このため、無線伝送システム１００Ａでは、無線伝送装置１Ａが、無線回線断である第１の無線回線のＡＴＰＣを行うことができる。
【００６３】
実施の形態３
続いて、実施の形態３について説明する。実施の形態３は、実施の形態１の第２の具体例を示す実施の形態である。なお、実施の形態３では、複数の無線回線として、ｃｈ１〜ｃｈ３の３つの無線回線を用いる例について説明するが、無線回線の数は３つに限らない。なお、実施の形態３においてもｃｈ２のリセットを実施した直後の動作について説明する。また、ｃｈ２のことを第１の無線回線とも呼ぶ。
【００６４】
実施の形態３にかかる無線伝送システム１００Ｂは、無線伝送装置１Ｂと、無線伝送装置２Ｂと、を備えている。なお、無線伝送システム１００Ｂの構成は、図１の無線伝送システム１００の構成と同様であり、図示を省略する。
【００６５】
続いて、図１１及び図１２のブロック図を用いて、無線伝送装置１Ｂ及び無線伝送装置２Ｂの構成例について説明する。無線伝送装置１Ｂは、送信部１１＿１〜１１＿３と、出力制御部１２Ｂ＿１〜１２Ｂ＿３と、データ多重部１３＿１〜１３＿３と、合成部１４と、アンテナ１５と、分波部１６と、受信部１７Ｂ＿１〜１７Ｂ＿３と、データ抽出部１８Ｂ＿１〜１８Ｂ＿３と、出力監視部２０と、を備えている。また、無線伝送装置２Ｂは、レベル検出部２１Ｂ＿１〜２１Ｂ＿３と、送信部２２＿１〜２２＿３と、アンテナ２３と、分波部２４と、受信部２５Ｂ＿１〜２５Ｂ＿３と、データ抽出部２６＿１〜２６＿３と、データ多重部２８Ｂ＿１〜２８Ｂ＿３と、合成部２９と、を備えている。なお、本例における第１の送信信号の波形は、図１３に示す波形であるものとする。図１３に示す波形例では、送信ｃｈ１の送信出力レベルの方が、送信ｃｈ３の送信出力レベルよりも高い。
【００６６】
受信部２５Ｂ＿１は、送信ｃｈ１の受信信号について受信処理を行い、レベル検出部２１Ｂ＿１及びデータ抽出部２６＿１へ出力する。また、受信部２５＿２は、送信ｃｈ２の受信信号について受信処理を行い、レベル検出部２１Ｂ＿２及びデータ抽出部２６＿２へ出力する。また、受信部２５Ｂ＿３は、送信ｃｈ３の受信信号について受信処理を行い、レベル検出部２１Ｂ＿３及びデータ抽出部２６＿３へ出力する。さらに、受信部２５Ｂ＿１、受信部２５Ｂ＿２、受信部２５Ｂ＿３は、それぞれ送信ｃｈ１、送信ｃｈ２、送信ｃｈ３について無線回線断であるか否かを検出する。そして、無線回線断であることを検出した受信部２５Ｂは、無線回線断を示す情報を対応するデータ多重部２８Ｂへ出力する。本例では、受信部２５Ｂ＿２が、送信ｃｈ２の無線回線断を検出し、送信ｃｈ２の無線回線断を示す情報をデータ多重部２８Ｂ＿２へ出力する。なお、無線回線断を示す情報とは、例えば、ＲＤＩ（Remote Defect Indication）である。
【００６７】
レベル検出部２１Ｂ＿１は、送信ｃｈ１の受信信号の受信レベルを検出する。そして、レベル検出部２１Ｂ＿１は、送信ｃｈ１の受信レベル情報をデータ多重部２８Ｂ＿１へ出力する。また、レベル検出部２１Ｂ＿２は、送信ｃｈ２の受信信号の受信レベルを検出する。そして、レベル検出部２１Ｂ＿２は、送信ｃｈ２の受信レベル情報をデータ多重部２８Ｂ＿２へ出力する。また、レベル検出部２１Ｂ＿３は、送信ｃｈ３の受信信号の受信レベルを検出する。そして、レベル検出部２１Ｂ＿３は、送信ｃｈ３の受信レベル情報をデータ多重部２８Ｂ＿３へ出力する。
【００６８】
データ多重部２８Ｂ＿１は、送信ｃｈ１の受信レベル情報を受信ｃｈ１に多重する。そして、データ多重部２８Ｂ＿１は、多重された信号を送信部２２＿１へ出力する。また、データ多重部２８Ｂ＿２は、送信ｃｈ２の無線回線断を示す情報を受信ｃｈ２に多重する。そして、データ多重部２８Ｂ＿２は、多重された信号を送信部２２＿２へ出力する。また、データ多重部２８Ｂ＿３は、送信ｃｈ３の受信レベル情報を受信ｃｈ３に多重する。そして、データ多重部２８Ｂ＿３は、多重された信号を送信部２２＿３へ出力する。
【００６９】
受信部１７Ｂ＿１は、受信ｃｈ１の受信信号について受信処理を行い、データ抽出部１８Ｂ＿１へ出力する。また、受信部１７Ｂ＿２は、受信ｃｈ２の受信信号から送信ｃｈ２の無線回線断を示す情報を抽出し、送信ｃｈ２の無線回線断を示す情報を出力監視部２０へ出力する。また、受信部１７Ｂ＿３は、受信ｃｈ３の受信信号について受信処理を行い、データ抽出部１８Ｂ＿３へ出力する。
【００７０】
データ抽出部１８Ｂ＿１は、受信ｃｈ１の受信信号から送信ｃｈ１の受信レベル情報を抽出して出力監視部２０へ出力する。また、データ抽出部１８Ｂ＿３は、受信ｃｈ３の受信信号から送信ｃｈ３の受信レベル情報を抽出して出力監視部２０へ出力する。
【００７１】
出力監視部２０は、無線回線断を示す情報がどの無線回線を介して受信されるかを監視する機能部である。出力監視部２０は、無線回線断を示す情報がどの無線回線を介して受信されたかに基づいて、送信出力レベルの制御方法を決定して出力制御部１２Ｂへ指示する。
【００７２】
具体的には、出力監視部２０は、無線回線断を示す情報が未受信であることを検出した場合には、各送信ｃｈについて、受信レベル情報と所定の閾値との比較に基づく送信出力レベル制御を行うことを決定する。
【００７３】
また、出力監視部２０は、第１の無線回線において無線回線断を示す情報が受信されたことを検出した場合には、以下に示す３つの方法に従って送信出力レベルの制御方法を決定する。
【００７４】
１つ目の方法は、第１の無線回線の両隣接回線においても無線回線断を示す情報が受信されたことを検出した場合に、両隣接回線のうち低い方の送信出力値を第１の無線回線の送信出力値として設定すると決定する。第１の無線回線及びその両隣接回線において無線回線断を示す情報が受信されることは、例えば、アンテナ１５及びアンテナ２３のうちの少なくとも一方の方向調整が正しくできていない場合等が想定される。このような場合に、第１の無線回線の送信出力値を高く設定しても、無線回線断が解消されない可能性が高い。このため、このような場合には、両隣接回線のうち低い方の送信出力値を第１の無線回線の送信出力値として設定することが効果的であるため、このような制御方法とする。
【００７５】
２つ目の方法は、第１の無線回線の一方の隣接回線のみを介して無線回線断を示す情報が受信されたことを検出した場合に、第１の無線回線の他方の隣接回線の送信出力値を第１の無線回線の送信出力値として設定すると決定する。これにより、第１の無線回線が無線回線断である場合であっても、正常な無線回線の送信出力値を第１の無線回線の送信出力値として設定することができる。
【００７６】
３つ目の方法は、第１の無線回線の隣接回線を介して無線回線断を示す情報が未受信であることを検出した場合に、両隣接回線のうち低い方の送信出力値を第１の無線回線の送信出力値として設定すると決定する。これにより、第１の無線回線が無線回線断である場合に、隣接する正常な無線回線のうち低い方の送信出力値を第１の無線回線の送信出力値として設定することができる。このため、第１の無線回線が無線回線断である場合に、第１の無線回線の送信出力値を設定することができ、且つ第１の無線回線の隣接回線への干渉を防ぐことができる。
【００７７】
なお、本例では、出力監視部２０は、受信ｃｈ２において送信ｃｈ２の無線回線断を示す情報が受信されたことを検出する。また、出力監視部２０は、受信ｃｈ２の隣接回線である受信ｃｈ１及び受信ｃｈ３を介して無線回線断を示す情報が未受信であることを検出する。これにより、上述の３つ目の方法に従って送信出力レベルの制御方法を決定する。図１３の波形例に示すように、本例では、送信ｃｈ１よりも送信ｃｈ３の方が送信出力値が低い。このため、出力監視部２０は、送信ｃｈ３の送信出力値を送信ｃｈ２の送信出力値として設定すると決定する。
【００７８】
出力監視部２０は、送信ｃｈ１の受信レベル情報を出力制御部１２Ｂ＿１へ出力する。また、出力監視部２０は、送信ｃｈ３の受信レベル情報を出力制御部１２Ｂ＿３へ出力する。さらに、出力監視部２０は、送信ｃｈ３の送信出力値を送信ｃｈ２の送信出力値として設定することを出力制御部１２Ｂ＿２へ指示する。
【００７９】
出力制御部１２Ｂ＿１、出力制御部１２Ｂ＿３は、それぞれ送信ｃｈ１、送信ｃｈ３の受信レベル情報に基づいて、送信ｃｈ１、送信ｃｈ３の送信出力レベルを制御する。なお、出力制御部１２Ｂ＿１及び出力制御部１２Ｂ＿３の送信出力レベルの制御方法は、実施の形態２の出力制御部１２Ａ＿１及び出力制御部１２Ａ＿３の送信出力レベルの制御方法と同様であり、説明を省略する。また、出力制御部１２Ｂ＿２は、出力監視部２０からの指示に基づいて、送信ｃｈ３の送信出力値を送信ｃｈ２の送信出力値として設定する。
【００８０】
続いて、図１４のフローチャートを用いて、実施の形態３にかかる無線伝送装置２Ｂの動作例について説明する。
【００８１】
まず、無線伝送装置２Ｂは、送信ｃｈ１、送信ｃｈ２、送信ｃｈ３の受信レベルを検出する（ステップＳ４０１）。
【００８２】
次に、無線伝送装置２Ｂは、送信ｃｈ１、送信ｃｈ２、送信ｃｈ３について、無線回線断であるか否かを検出する（ステップＳ４０２）。
【００８３】
次に、無線伝送装置２Ｂは、ステップＳ４０２の検出の結果、いずれのｃｈも無線回線断でないか否かを判断する（ステップＳ４０３）。
【００８４】
いずれのｃｈも無線回線断でない場合（ステップＳ４０３にてＹＥＳ）、無線伝送装置２Ｂは、無線回線断を示す情報を送信せず、受信ｃｈ１、受信ｃｈ２、受信ｃｈ３にて対応する送信ｃｈの受信レベル情報を送信する（ステップＳ４０４）。すなわち、受信ｃｈ１にて送信ｃｈ１の受信レベル情報を送信し、受信ｃｈ２にて送信ｃｈ２の受信レベル情報を送信し、受信ｃｈ３にて送信ｃｈ３の受信レベル情報を送信する。
【００８５】
他方、無線回線断であるｃｈがある場合（ステップＳ４０３にてＮＯ）、無線伝送装置２Ｂは、無線回線断であるｃｈの受信ｃｈにて無線回線断を示す情報を送信し、無線回線断でないｃｈの受信ｃｈにて対応する送信ｃｈの受信レベル情報を送信する（ステップＳ４０５）。すなわち、本例では、送信ｃｈ２のみ無線回線断であるため、受信ｃｈ２にて無線回線断を示す情報を送信し、受信ｃｈ１にて送信ｃｈ１の受信レベル情報を送信し、受信ｃｈ３にて送信ｃｈ３の受信レベル情報を送信する。
【００８６】
続いて、図１５のフローチャートを用いて、実施の形態３にかかる無線伝送装置１Ｂの動作例について説明する。図１５の例では、送信ｃｈ２の送信出力レベル制御について説明する。
【００８７】
まず、無線伝送装置１Ｂは、送信ｃｈ１、送信ｃｈ２、送信ｃｈ３にて無線伝送装置２Ｂへ信号の送信を行う（ステップＳ５０１）。
【００８８】
次に、無線伝送装置１Ｂは、無線伝送装置２Ｂから無線回線断を示す情報が受信されるかを監視する（ステップＳ５０２）。
【００８９】
次に、無線伝送装置１Ｂは、受信ｃｈ２にて無線回線断を示す情報が受信されたか否かを判断する（ステップＳ５０３）。
【００９０】
受信ｃｈ２にて無線回線断を示す情報が受信されない場合（ステップＳ５０３にてＮＯ）、無線伝送装置１Ｂは、送信ｃｈ２について、送信ｃｈ２の受信レベル情報と所定の閾値との比較に基づく送信出力レベル制御を行う（ステップＳ５０４）。
【００９１】
他方、受信ｃｈ２にて無線回線断を示す情報が受信された場合（ステップＳ５０３にてＹＥＳ）、無線伝送装置１Ｂは、受信ｃｈ１及び受信ｃｈ３の両方のｃｈにて無線回線断を示す情報を受信したか否かを判断する（ステップＳ５０５）。
【００９２】
受信ｃｈ１及び受信ｃｈ３の両方のｃｈにて無線回線断を示す情報を受信した場合（ステップＳ５０５にてＹＥＳ）、無線伝送装置１Ｂは、送信ｃｈ１及び送信ｃｈ３のうち低い方の送信出力値を送信ｃｈ２の送信出力値として設定する（ステップＳ５０６）。
【００９３】
他方、受信ｃｈ１及び受信ｃｈ３の両方のｃｈにて無線回線断を示す情報を受信していない場合（ステップＳ５０５にてＮＯ）、無線伝送装置１Ｂは、受信ｃｈ１及び受信ｃｈ３の一方のｃｈのみにて無線回線断を示す情報を受信したか否かを判断する（ステップＳ５０７）。
【００９４】
受信ｃｈ１及び受信ｃｈ３の一方のｃｈのみにて無線回線断を示す情報を受信した場合（ステップＳ５０７にてＹＥＳ）、無線伝送装置１Ｂは、他方のｃｈの送信出力値を送信ｃｈ２の送信出力値として設定する（ステップＳ５０８）。すなわち、無線伝送装置１Ｂは、受信ｃｈ１及び受信ｃｈ３のうち無線回線断を示す情報を受信していない方のｃｈに対応する送信ｃｈの送信出力値を送信ｃｈ２の送信出力値として設定する。
【００９５】
他方、受信ｃｈ１にて無線回線断を示す情報を受信せず且つ受信ｃｈ３にて無線回線断を示す情報を受信していない場合（ステップＳ５０７にてＮＯ）、無線伝送装置１Ｂは、送信ｃｈ１及び送信ｃｈ３のうち低い方の送信出力値を送信ｃｈ２の送信出力値として設定する（ステップＳ５０９）。
【００９６】
以上のように、本実施の形態３にかかる無線伝送システム１００Ｂでは、無線伝送装置２Ｂが、無線回線断を検出した場合に、無線回線断を検出した無線回線を介して無線回線断を示す情報を送信する構成としている。また、無線伝送システム１００Ｂでは、無線伝送装置１Ｂが、無線回線断を示す情報がどの無線回線を介して受信されるかを監視する構成としている。さらに、無線伝送システム１００Ｂでは、無線伝送装置１Ｂが、第１の無線回線を介して無線回線断を示す情報が受信された場合に、第１の無線回線の隣接回線を介して無線回線断を示す情報が受信されたか否かに基づいて、第１の無線回線の送信出力レベルを制御する構成としている。これにより、本実施の形態３にかかる無線伝送システム１００Ｂでは、第１の無線回線が無線回線断である場合であっても、第１の無線回線の隣接回線を介して無線回線断を示す情報が受信されたか否かに基づいて第１の無線回線の送信出力レベルを制御することができる。このため、無線伝送システム１００Ｂでは、無線伝送装置１Ｂが、無線回線断である第１の無線回線のＡＴＰＣを行うことができる。
【００９７】
また、無線伝送装置１Ｂは、第１の無線回線を介して無線回線断を示す情報が受信された場合であり、且つ、第１の無線回線の両隣接回線を介して無線回線断を示す情報が受信された場合に、両隣接回線のうち低い方の送信出力値を第１の無線回線の送信出力値として設定する構成としている。これにより、無線伝送装置１Ｂは、第１の無線回線が無線回線断である場合であっても、第１の無線回線の送信出力値を設定することができる。
【００９８】
また、無線伝送装置１Ｂは、第１の無線回線を介して無線回線断を示す情報が受信された場合であり、且つ、第１の無線回線の一方の隣接回線のみを介して無線回線断を示す情報が受信された場合に、第１の無線回線の他方の隣接回線の送信出力値を第１の無線回線の送信出力値として設定する構成としている。これにより、無線伝送装置１Ｂは、第１の無線回線が無線回線断である場合であっても、正常な無線回線の送信出力値を第１の無線回線の送信出力値として設定することができる。
【００９９】
また、無線伝送装置１Ｂは、第１の無線回線を介して無線回線断を示す情報が受信された場合であり、且つ、第１の無線回線の隣接回線を介して無線回線断を示す情報が未受信である場合に、両隣接回線のうち低い方の送信出力値を第１の無線回線の送信出力値として設定する構成としている。これにより、無線伝送装置１Ｂは、第１の無線回線が無線回線断である場合に、隣接する正常な無線回線のうち低い方の送信出力値を第１の無線回線の送信出力値として設定することができる。このため、無線伝送装置１Ｂは、第１の無線回線が無線回線断である場合に、第１の無線回線の送信出力値を設定することができ、且つ第１の無線回線の隣接回線への干渉を防ぐことができる。
【０１００】
なお、上述した実施の形態１〜３の例では、第１の無線伝送装置及び第２の無線伝送装置がそれぞれ１つのアンテナを有し、このアンテナにて複数の無線回線の無線通信を行う例を示しているが、これに限らない。無線伝送装置１及び無線伝送装置２は、無線通信を行う無線回線の数のアンテナをそれぞれ有する構成としてもよい。例えば、実施の形態２の無線伝送装置１Ａ及び無線伝送装置２Ａの構成を、図１６及び図１７に示すように構成してもよい。
【０１０１】
図１６の例では、無線伝送装置１Ａは、合成部１４及び分波部１６を備えておらず、アンテナ１５＿１〜アンテナ１５＿３を備えている。また、アンテナ１５＿１は、送信部１１＿１及び受信部１７＿１に接続されている。また、アンテナ１５＿２は、送信部１１＿２及び受信部１７＿２に接続されている。さらに、アンテナ１５＿３は、送信部１１＿３及び受信部１７＿３に接続されている。
【０１０２】
同様に、図１７の例では、無線伝送装置２Ａは、分波部２４及び合成部２９を備えておらず、アンテナ２３＿１〜アンテナ２３＿３を備えている。アンテナ２３＿１は、受信部２５＿１及び送信部２２＿１に接続されている。また、アンテナ２３＿２は、受信部２５＿２及び送信部２２＿２に接続されている。さらに、アンテナ２３＿３は、受信部２５＿３及び送信部２２＿３に接続されている。
【０１０３】
なお、上述した実施の形態２及び３では、第２の無線伝送装置が受信レベル情報を第１の無線伝送装置へ送信する例について説明したが、これに限らない。第２の無線伝送装置は、レベル情報を第１の無線伝送装置へ送信するようにしてもよい。なお、レベル情報とは、受信信号レベル等の受信信号に関する情報であってもよいし、あるいは第１の無線伝送装置で設定すべき送信信号レベル等の送信信号に関する情報であってもよい。また、受信信号に関する情報は、ＲＳＬ（Received Signal Level）、ＲＳＳＩ（Received Signal Strength Indicator）等であってもよい。また、送信信号に関する情報は、第１の無線伝送装置で設定すべき送信電力の値や差分等であってもよい。また、上述した実施の形態２及び３では、受信レベル多重情報を用いる例について説明したが、受信レベル情報に代えてレベル情報を用いる場合には、受信レベル多重情報に代えてレベル多重情報を用いてもよい。レベル多重情報とは、例えば、第１の無線回線のレベル情報が多重されている無線回線が第２の無線回線であることを示す情報である。
【０１０４】
なお、上述した実施の形態１〜３の第１の無線伝送装置及び第２の無線伝送装置により行われる処理は、第１の無線伝送装置１及び第２の無線伝送装置が備えるＣＰＵ（Ｃｅｎｔｒａｌ Ｐｒｏｃｅｓｓｉｎｇ Ｕｎｉｔ）等のコンピュータを用いて実現することができる。具体的には、ブロック図、フローチャート、及びシーケンス図を用いて説明した第１の無線伝送装置及び第２の無線伝送装置における各機能部の処理に関する命令群を含むプログラムをコンピュータに実行させてもよい。
【０１０５】
以上、実施の形態を参照して本願発明を説明したが、本願発明は上記実施の形態によって限定されるものではない。本願発明の構成や詳細には、発明のスコープ内で当業者が理解し得る様々な変更をすることができる。
【符号の説明】
【０１０６】
１    無線伝送装置（第１の無線伝送装置）
２    無線伝送装置（第２の無線伝送装置）
１１    送信部（第１の送信部）
１２    出力制御部
１９    制御信号切替部（第１の制御信号切替部）
２０    出力監視部
２１    レベル検出部
２２    送信部（第２の送信部）
２７    制御信号切替部（第２の制御信号切替部）
【図１】
2019161497.tif 000003
【図２】
2019161497.tif 000004
【図３】
2019161497.tif 000005
【図４】
2019161497.tif 000006
【図５】
2019161497.tif 000007
【図６】
2019161497.tif 000008
【図７】
2019161497.tif 000009
【図８】
2019161497.tif 000010
【図９】
2019161497.tif 000011
【図１０】
2019161497.tif 000012
【図１１】
2019161497.tif 000013
【図１２】
2019161497.tif 000014
【図１３】
2019161497.tif 000015
【図１４】
2019161497.tif 000016
【図１５】
2019161497.tif 000017
【図１６】
2019161497.tif 000018
【図１７】
2019161497.tif 000019